(57)【要約】【課題】  多種の電子機器の記録装置として用いることができるとともに一層の小型化が可能なディスク装置を提供する。【解決手段】  本発明のＨＤＤは、矩形箱状の筐体１０を備え、その筐体内にはディスク媒体とこれを支持して回転させる駆動モータと、ディスク媒体に対して情報処理を行なうヘッドと、ヘッドを移動自在に支持しているとともにヘッドをディスク媒体に対して移動させるヘッドアクチュエータとが設けられている。駆動モータは、筐体に固定配置されたステータコア８０の第１の歯８０１ａ、８０２ａと第２の歯８０１ｂ、８０２ｂ間に配置されたヘッドリトラクト用コンデンサ８５とを有している。【選択図】      図３
2007095215.tif 000002
【特許請求の範囲】
【請求項１】
矩形箱状の筐体と、
前記筐体内に配設されたディスク媒体と、
前記筐体内に配設され、前記ディスク媒体を支持しているとともに回転させる駆動モータと、
前記ディスク媒体に対して情報処理を行なうヘッドと、
前記筐体内に設けられ、前記ヘッドを移動自在に支持しているとともに前記ヘッドを前記ディスク媒体に対して移動させるヘッドアクチュエータと、を備え、
前記駆動モータは、筐体に固定配置されたステータコアの第１の歯と第２の歯間に配置されたヘッドリトラクト用コンデンサと、を有するディスク装置。
【請求項２】
矩形箱状の筐体と、
前記筐体内に配設された磁気ディスクと、
前記磁気ディスクを回転駆動するスピンドルモータと、
前記磁気ディスクに対して情報の記録再生を行なう記録再生手段と、を備え、
前記スピンドルモータは、中心軸線の回りで回転自在に設けられているとともに磁石が配置された外周面を有し、前記磁気ディスクを支持したロータと、
前記外周面の外側において前記磁石と対向して設けられ、前記中心軸線と同軸的に設けられた環状部と、当該環状部から前記中心軸線に向かって突出した複数の巻線部と、前記各巻線部の端部に形成されているとともに前記磁石と対向した極部と、を有するステータコアと、
前記各巻線部に巻装されたコイルと、を備え、
前記巻線部に巻装されたコイルのコイル間スペースに配置されたヘッドリトラクト用コンデンサと、を有するディスク装置。
【請求項３】
前記ステータコアに対向し、前記ステータコアと磁気ディスクとの間に配置されて前記筐体に固定される環状のシールド板を有し、
前記ヘッドリトラクト用コンデンサは、前記シールド板の前記ステータコア対向面側で、且つ、前記コイル間スペースに配置される
ことを特徴とする請求項２に記載のディスク装置。
【請求項４】
前記ヘッドリトラクト用コンデンサは、前記コイル間スペースに複数配置され、前記複数のヘッドリトラクト用コンデンサの合計の容量は、５０μＦ以上である請求項１乃至３のいずれか１項に記載のディスク装置。
【請求項５】
前記複数のヘッドリトラクト用コンデンサはそれぞれ並列に接続されている請求項１乃至４のいずれか１項に記載のディスク装置。
【請求項６】
前記筐体外部に制御用回路基板を有し、前記筐体および制御回路基板は、長手方向の寸法が約３２ｍｍ、幅方向の寸法が約２４ｍｍ、筐体および制御回路基板を含む厚さが約３ないし６ｍｍに形成されている請求項１ないし５のいずれか１項に記載のディスク装置。
【請求項７】
前記ディスク媒体乃至磁気ディスクは、直径０．８５インチに形成されている請求項１ないし６のいずれか１項に記載のディスク装置。
【発明の詳細な説明】
【技術分野】
【０００１】
この発明は、記録媒体としてのディスクを有したディスク装置に関する。
【背景技術】
【０００２】
近年、コンピュータの外部記録装置や画像記録装置として磁気ディスク装置、光ディスク装置などのディスク装置が広く用いられている。
ディスク装置として、例えば、磁気ディスク装置は、一般に、矩形箱状の筐体を有している。筐体内には、磁気記録媒体としての磁気ディスク、この磁気ディスクを支持および回転させる駆動手段としてのスピンドルモータ、磁気ディスクに対して情報の書き込み、読み出しを行なう複数の磁気ヘッド、これらの磁気ヘッドを磁気ディスクに対して移動自在に支持したヘッドアクチュエータ、ヘッドアクチュエータを回動および位置決めするボイスコイルモータ、ヘッドアンプ等を有する基板ユニット等が収納されている。
【０００３】
筐体の外面には、基板ユニットを介してスピンドルモータ、ボイスコイルモータ、および磁気ヘッドの動作を制御するプリント回路基板がねじ止めされている。プリント回路基板の端部には、磁気ディスク装置を他の外部機器に接続するためのインターフェース（Ｉ／Ｆ）コネクタが接合されている。
【０００４】
磁気ディスク装置として、カード状に薄く形成され、例えばパーソナルコンピュータのカードスロットに装填可能としたものが提供されている（例えば、特許文献１）。このようなカード状の磁気ディスク装置では、従来の磁気ディスク装置に比較して薄型、かつ、小型にする必要があるため、板状のベースに種々の構成要素を実装するとともに、ベースの周縁に沿って支持枠を固定し、更に、この支持枠に板状のトップカバーを取り付けている。また、ベースの裏面側にプリント回路基板を設け、プリント回路基板上のＩ／Ｆコネクタは、支持枠に設けられた専用の固定部材により位置決め保持されている。
【０００５】
また、近年の磁気ディスク装置は、より多種の電子機器、特に、より小型の電子機器の記録装置として用いることができるように、一層の小型化が進められている。例えば、ディスクの直径が１インチ以上の磁気ディスク装置において、筐体の表面に重ねて配置されるプリント回路基板は、筐体表面の面積よりも小さくすることができる。しかしながら、ディスクの直径が１インチ以下の磁気ディスク装置では、筐体の小型化に伴い、プリント回路基板も小さくする必要がある。そのため、プリント回路基板上における設置スペースが減少し、複数の電子部品を実装することが困難となる。
【０００６】
通常、磁気ディスク装置は、電源オフ時に磁気ヘッドを待機位置に移動させるための電荷を蓄えておく、いわゆるリトラクト用のコンデンサを備えている（例えば、特許文献２）。
【特許文献１】特開２００１−２１００５８号公報
【特許文献２】特開２００４−２６５５１５号公報
【発明の開示】
【発明が解決しようとする課題】
【０００７】
このコンデンサは比較的容量および寸法が大きいため、プリント回路基板上への実装が困難であるとともに、プリント回路基板を含む磁気ディスク装置全体の厚さを薄くする上で障害となる。
【０００８】
この発明は以上の点に鑑みなされたもので、その目的は、より多種の電子機器の記録装置として用いることができるとともに一層の小型化が可能なディスク装置を提供することにある。
【課題を解決するための手段】
【０００９】
上記目的を達成するため、この発明に係るディスク装置は、矩形箱状の筐体と、前記筐体内に配設されたディスク媒体と、前記筐体内に配設され、前記ディスク媒体を支持しているとともに回転させる駆動モータと、前記ディスク媒体に対して情報処理を行なうヘッドと、前記筐体内に設けられ、前記ヘッドを移動自在に支持しているとともに前記ヘッドを前記ディスク媒体に対して移動させるヘッドアクチュエータと、を備え、前記駆動モータは、筐体に固定配置されたステータコアの第１の歯と第２の歯間に配置されたヘッドリトラクト用コンデンサと、を有している。
【発明の効果】
【００１０】
この発明によれば、複数の小さなリトラクト用のコンデンサをディスク媒体を回転駆動させるための駆動モータであるスピンドルモータを構成するステータコアの第１、第２の歯に巻装されたコイルの間のスペース（以後、コイル間スペースと証する）に設けることにより、一層の小型でより多種の電子機器の記録装置として用いることが可能なディスク装置を提供することができる。
【発明を実施するための最良の形態】
【００１１】
以下図面を参照しながら、この発明の実施形態に係るハードディスクドライブ（以下ＨＤＤと称する）について詳細に説明する。
図１および図２に示すように、ＨＤＤは後述する種々の部材が収納されたほぼ矩形箱状の筐体１０と、筐体１０の外面に重ねて設けられた矩形状の制御回路基板１２と、を備えている。筐体１０および制御回路基板１２は、例えば、長さＬが３２ｍｍ、幅Ｗが２４ｍｍに形成され、筐体および制御回路基板を含む厚さＴが３ないし６ｍｍに形成されている。厚さＴは、収納するディスクの枚数に応じて、例えば、３．３ｍｍあるいは５ｍｍ程度に設定されている。
【００１２】
図２ないし図５に示すように、筐体１０は、互いにほぼ等しい寸法に形成された第１シェル１０ａおよび第２シェル１０ｂを有している。第１および第２シェル１０ａ、１０ｂは、それぞれ金属によりほぼ矩形状に形成され、周縁部には側壁が立設されている。第１および第２シェル１０ａ、１０ｂは、その周縁部同士が対向した状態で、互いに向い合わせて配置されている。第１および第２シェル１０ａ、１０ｂの周縁部には帯状のシール材１６が巻き付けられ、このシール材により周縁部が互いに接続されているとともに、周縁部間の隙間がシールされている。これにより、矩形箱状の筐体１０が構成されている。
【００１３】
第１シェル１０ａの底面は矩形状の実装面１１を形成している。実装面１１の角を含む筐体１０の４つの角は円弧状に丸めて形成されている。これにより、筐体１０の周縁部に巻装されたシール材１６が、筐体の角で損傷することを防止しているとともに、シール材の浮きによる気密性の悪化を防止している。
【００１４】
筐体１０内において、筐体の周縁部には複数の支持ポスト１８が設けられている。各支持ポスト１８は、第１シェル１０ａの内面に固定された基端を有し、第１シェルの内面に対してほぼ垂直に立設されている。各支持ポスト１８の位置で、実装面１１にねじ孔が形成され、支持ポスト内まで延びている。
【００１５】
筐体１０内には、情報記録媒体として機能する例えば、直径０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、キャリッジを退避位置に保持する電磁ラッチ３２、およびヘッドアンプ等を有する基板ユニット３４等が収納されている。
【００１６】
スピンドルモータ２２は、第１シェル１０ａに取り付けられている。スピンドルモータ２２は枢軸３６を有し、この枢軸は第１シェル１０ａの内面に固定され、この内面に対してほぼ垂直に立設されている。枢軸３６の延出端は、第２シェル１０ｂの外側からねじ込まれた固定ねじ３７により第２シェルにねじ止めされている。これにより、枢軸３６は第１および第２シェル１０ａ、１０ｂに両持ち支持されている。
【００１７】
枢軸３６には、図示しない軸受を介してロータが回転自在に支持されている。ロータの第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の円周縁部を保持している。これにより、磁気ディスク２０はロータに固定され、ロータと一体的に回転可能に支持されている。
【００１８】
ロータの第１シェル１０ａ側の端部には図示しない環状の永久磁石が固定され、ロータと同軸的に位置している。スピンドルモータ２２は、第１シェル１０ａに取り付けられたステータコア、およびこのステータコアに巻回された複数のコイルを有し、これらステータコアおよびコイルは、永久磁石の外側に隙間を置いて配置されている。
【００１９】
ヘッドアクチュエータを構成するキャリッジ２６は、第１シェル１０ａの内面上に固定された軸受組立体５２を備えている。軸受組立体５２は、第１シェル１０ａの内面に対して垂直に立設された枢軸５３と、一対の軸受を介して枢軸５３に回転自在に支持された円筒形状のハブ５４と、を有している。枢軸５３の延出端は、第２シェル１０ｂの外側からねじ込まれた固定ねじ５６により第２シェルにねじ止めされている。これにより、枢軸５３は第１および第２シェル１０ａ、１０ｂに両持ち支持されている。軸受部として機能する軸受組立体５２は、スピンドルモータ２２に対し、筐体１０の長手方向に並んで配設されている。
【００２０】
キャリッジ２６は、ハブ５４から延出したアーム５８、アームの先端から延出した細長い板状のサスペンション６０、ハブ５４からアームと反対方向に延出した支持フレーム６２を備えている。サスペンション６０の延出端には、図示しないジンバル部を介して磁気ヘッド２４が支持されている。磁気ヘッド２４はサスペンション６０のばね力により磁気ディスク２０表面に向かって所定のヘッド荷重が印加されている。支持フレーム６２には、ＶＣＭ２８を構成するボイスコイル６４が一体的に固定されている。
【００２１】
キャリッジ２６を軸受組立体５２の回りで回動させるＶＣＭ２８は、第１シェル１０ａ上に固定され互いに隙間を置いて対向した一対のヨーク６３と、一方のヨークの内面に固定されボイスコイルに対向した図示しない磁石と、を備えている。ボイスコイル６４に通電することにより、キャリッジ２６は、図３に示す退避位置と磁気ディスク２０の表面上に位置する動作位置との間を回動し、磁気ヘッド２４は磁気ディスク２０の所望のトラック上に位置決めされる。第１シェル１０ａに固定された電磁ラッチ３２は、退避位置に移動したキャリッジ２６をラッチし、ＨＤＤが衝撃等の外力を受けた際、キャリッジ２６が退避位置から作動位置へ移動することを防止する。
【００２２】
ランプロード機構３０は、第１シェル１０ａの内面に固定され磁気ディスク２０の周縁部に対向したランプ部材７０と、サスペンション６０の先端から延出し係合部材として機能するタブ７２と、を備えている。ランプ部材７０は板材を折り曲げて形成され、タブ７２が係合可能なランプ面７３を有している。キャリッジ２６が磁気ディスク２０の内周部から磁気ディスク外周の退避位置まで回動すると、タブ７２は、ランプ部材７０のランプ面７３に係合し、その後、ランプ面の傾斜によって引き上げられ、磁気ヘッド２４のアンロード動作を行なう。キャリッジ２６が退避位置まで回動すると、タブ７２はランプ部材７０のランプ面７３上に支持され、磁気ヘッド２４は磁気ディスク２０の表面から離間した状態に保持される。
【００２３】
図２、図３、図６および図８に示すように、基板ユニット３４は、フレキシブルプリント回路基板により一体に形成された基板本体４０と基板本体から延出したメインフレキシブルプリント回路基板（以下、メインＦＰＣと称する）４１を有している。基板本体４０は、ほぼ同一形状を有したベース部４０ａおよびカバー部４０ｂを有している。ベース部４０ａおよびカバー部４０ｂの両端部には、それぞれ支持ポスト１８を挿通するための透孔４２が形成されている。
【００２４】
ベース部４０ａの内面上には、ヘッドアンプ４６が実装されている。ヘッドアンプ４６はベアチップによりほぼ矩形状に形成され、その高さは、約０．４ｍｍとなっている。
【００２５】
基板本体４０のカバー部４０ｂ上には、それぞれヘッドアンプ４６に接続された複数の接続端子４８ａが設けられている。カバー部４０ｂ上には、接続端子４８ａに重ねてコネクタ３４ｃが実装され、これらの接続端子に接続されている。
【００２６】
カバー部４０ｂは折り返されベース部４０ａと背中合わせに対向している。そして、基板本体４０は、カバー部４０ｂ側が第１シェル１０ａの内面上に配置された状態で、各透孔４２に支持ポスト１８を挿通することにより所定位置に固定されている。カバー部４０ｂに実装されたコネクタ３４ｃは、ベース部４０ａおよびカバー部４０ｂを挟んでヘッドアンプ４６の反対側に配置され、ヘッドアンプと重なって設けられている。コネクタ３４ｃは、第１シェル１０ａに形成された開孔を介して第１シェルの実装面１１に露出している。
【００２７】
メインＦＰＣ４１はベース部４０ａから延出し、その延出端には複数の接続パッド４５が設けられている。メインＦＰＣ４１の延出端は、キャリッジ２６の軸受組立体５２近傍に接続され、接続パッド４５は、アーム５８およびサスペンション６０上に設けられた図示しないケーブルを介して磁気ヘッド２４に電気的に接続されている。
【００２８】
図２および図４に示すように、プリント回路基板からなる制御回路基板１２は筐体１０の実装面１１とほぼ等しいの長さおよび幅を有した矩形状を有している。筐体１０の実装面１１には、スピンドルモータ２２に対応した円形の凸部７０ａ、および軸受組立体５２に対応した円形の凸部７０ｂがそれぞれ形成されている。制御回路基板１２には、これらの凸部７０ａ、７０ｂにそれぞれ対応した円形の開口７２ａ、７２ｂが形成されている。制御回路基板１２の４つの角部は、それぞれ斜めに、例えば、各辺に対して４５度の角度で斜めに切欠かれ、それぞれ切欠き部７７を形成している。
【００２９】
制御回路基板１２の内面上、つまり、筐体１０と対向する面上には、複数の電子部品７４、およびコネクタ７１が実装されている。制御回路基板１２には、ＨＤＤを外部機器と電気的に接続するためのフレキシブルプリント回路基板７６が接続され、制御回路基板の短辺から外側へ導出している。フレキシブルプリント回路基板７６の延出端には複数の接続端子７５が設けられている。
【００３０】
上記のように形成された制御回路基板１２は、筐体１０の実装面１１に重ねて配置され、複数のねじにより第１シェル１０ａにねじ止めされている。この際、制御回路基板１２は、４つの辺が実装面１１の４辺とそれぞれ整列した状態、つまり、実装面１１の４辺と一致した状態で配置されている。実装面１１に形成された凸部７０ａ、７０ｂは、それぞれ制御回路基板１２の開口７２ａ、７２ｂ内に配置されている。制御回路基板１２上に実装されたコネクタ７１は、基板ユニット３４のコネクタ３４ｃに接続される。
【００３１】
制御回路基板１２の４つの角部に形成された切欠き部７７は、それぞれ実装面１１の４つの角部に位置している。これにより、実装面１１の４つの角部は制御回路基板１２によって覆われることなく外部に露出している。実装面１１の露出した４つの角部を含む筐体１０の角部は、制御回路基板１２に接触することなく筐体を保持するための保持部７８をそれぞれ構成している。
【００３２】
図６から図１２を用いて本実施形態に係るスピンドルモータの構造と、ヘッドリトラクト用コンデンサの配置構造を詳細に説明する。
図６に本発明の実施形態に係るＨＤＤをの概要を示す。
ディスク媒体である磁気ディスク２０は、磁気ディスク２０を回転駆動するための駆動モータであるスピンドルモータ２２により所定の回転数にて回転し、ヘッドアクチュエータを構成するキャリッジ２６、すなわちヘッドサスペンションアッセンブリ（ＨＳＡとも呼ぶ）は、ボイスコイルモータ２８が発生する電磁力によりユニットベアリングを中心（中心軸線３６）に揺動運動し、磁気ディスク２０に対して情報の記録再生を行なう記録再生手段としての磁気ヘッド２４を磁気ディスク２０上にロードさせる。磁気ヘッド２４は、サスペンション６０のばね力によりデ磁気ディスク２０に対して一定の荷重で押し付けられているが、磁気ディスク２０のディスク面と磁気ヘッド２４の間に発生する空気ばね力に支えられてつり合い、磁気ディスク２０の表面から浮上した状態を保たれる。
【００３３】
図７に、スピンドルモータ２２およびその周辺の断面図を示す。
スピンドルモータ２２の軸受部は、近年では流体軸受が主流となっている。シャフトがその中心軸線３６となり、スリーブ８５とベース筐体を形成する第１シェル１０ａとの間には数μｍの隙間が設けられ、オイル等の潤滑剤で満たされている。ロータ８４が高速回転することでラジアル軸受およびスラスト軸受に発生する動圧をもって、ロータ８４が浮上、支持される。
【００３４】
図８に、１．８インチ型のＨＤＤの概要を示す。
ＨＤＤの電源が遮断された場合、磁気ヘッド２４が磁気ディスク２０上に墜落するのを防止するために、スピンドルモータ２２に発生する逆起電力を利用して磁気ヘッド２４が所定の退避位置であるランプ３０、若しくは、コンタクト・スタート・ストップ領域（ＣＳＳエリアとも呼ばれる）に強制的に移動される。これをパワーオフアンロードと称する。小型ＨＤＤでは、装置の電源遮断時にスピンドルモータ２２に発生する逆起電力だけでは、磁気ヘッド２４をランプ３０条に対比させるための電力が不十分な場合があり、その際にはヘッドリトラクト用のコンデンサを別途組み込み、それに蓄積された電力を併用してパワーオフアンロードが行われる。
【００３５】
ただし、ヘッドリトラクトもしくは磁気ディスク２０の回転補助の機能を達成するために必要なコンデンサの容量を得るには、小型のコンデンサを多数搭載するか、大型のコンデンサを一つもしくは少数搭載するかの選択をしなければならない。例えば、図８に示すような１．８インチ型ＨＤＤでは、比較的大容量のヘッドリトラクト用コンデンサを制御用基板であるＰＣＢ上に配置することができる。図８に示すような１．８インチ型ＨＤＤでは所定の高さ寸法を満たすために、コンデンサと装置筐体の干渉を防ぐためにベース筐体を構成する第１シェル１０ａにコンデンサ逃げ穴（図中点線部分）が設けられている。
【００３６】
一般に、ＨＤＤが小型化されるにつれ、ＨＤＤ全体の装置面積に対する磁気ディスクの駆動モータであるスピンドルモータ２２の占有面積の比率が増加する。これは、ＨＤＤ全体の体積が小さくなることに比例して磁気回路の体積も同様に小さくなることがないためである。したがって、更に小型のＨＤＤでは、このようなコンデンサ逃げ穴（図中点線部分）を設けるスペースを確保するのが困難となる。また、小容量の小型コンデンサを複数個実装するとしても、制御用回路基板であるＰＣＢ自体も小型されてしまうため、このＰＣＢ上にヘッドリトラクト用コンデンサを実装スペースの確保が難しくなる。
【００３７】
図６は本実施形態に関する小型ＨＤＤである０．８５インチ型のＨＤＤの概略図である。
例えば０．８５インチ型ＨＤＤの場合、制御回路基板であるＰＣＢ１２上にヘッドリトラクト用コンデンサを実装することが困難であり、装置筐体内部にあるＦＰＣ３４上に大きさ１．６ｍｍ×０．８５ｍｍ×０．８ｍｍ、１０μＦ（ファラッド）のコンデンサを６つ程度搭載することが可能である。このときヘッドリトラクト用コンデンサの総容量は６０μＦ（ファラッド）となる。しかし、実装スペースの制約から、このＦＰＣ３４上にこれ以上の数のヘッドリトラクト用コンデンサを搭載することは不可能である。
【００３８】
図９に本実施形態に係るＨＤＤに用いられるスピンドルモータ２２を構成する部品であるステータコア８０の説明図を示す。
スピンドルモータ２２を構成する部品として、ステータコア８０がある。ステータコア８０は、中心軸線３６と同軸的に設けられた環状部８００と、この環状部８００から中心軸線３６に向かって突出した複数の巻線部８０１a，ｂと、この各巻線部８０１ａ，ｂの端部に形成されるとともに、後述する磁石８２に対向した極部８０２ａ，ｂとから構成されている。このステータコア８０は、一般的には薄い珪素鋼板からなり、複数枚積層して構成されている。これら巻線部８０１と極部８０２を歯と称する。また、各巻線部８０１にはそれぞれコイル８１が巻装されており、複数ある歯の巻線部８０１の間、即ち、第１の歯と第２の歯の間にはスロット８０３（後に、コイル間スペースと称する）と称するスペースが設けられている。
【００３９】
図１０に本実施形態に係るスピンドルモータの磁気回路の説明図を示す。なお、Ａ−Ａ断面は図中の点線ＡからＡの断面図であり、Ｂ−Ｂ断面は同様に図中の点線ＢからＢの断面図である。
【００４０】
図１０は、スピンドルモータ２２を構成する磁気回路のうち、ステータコア８０、コイル８１、シールド板８３部分をベース筐体である第１シェル１０ａ側から見た状態を示している。小型、薄型のＨＤＤの場合、ステータコア８０の巻線部８０１にコイル８１を巻く上で寸法制約となるのは高さ方向、即ち、ステータコア８０の積層方向であることが多く、隣り合うコイル８１の間には空き領域が生じる。これをコイル間スペース８０３と呼ぶことにする。なお、シールド板８３はコイル８１上面に粘着テープ等で固定される。
【００４１】
図１１および図１２に本実施形態に係るＨＤＤのスピンドルモータ及びヘッドリトラクト用コンデンサの配置構成を示し、これを説明する。また、各図面のＡ−Ａ断面は各図中の点線ＡからＡの断面図であり、Ｂ−Ｂ断面は同様に各図中の点線ＢからＢの断面図である。
【００４２】
シールド板８３において、コイル８１と対向する側の面にコンデンサ８５への通電用のＦＰＣ８６を粘着テープ等で固定し、この通電用ＦＰＣ８６上にヘッドリトラクト用コンデンサ８５を実装する（図１１）。ヘッドリトラクト用コンデンサ８５は、シールド板８３をコイル８１に固定する際に、ヘッドリトラクト用コンデンサ８５がコイル間スペース８０３に収まるような配置とする。通電用ＦＰＣ８６についても、シールド板８３をコイル８１に固定する際に、コイル８１と干渉しないような形状とする(図１２)。
【００４３】
また、通電用ＦＰＣ８６には外部連結部８７を、ベース筐体である第１シェル１０ａ上に設けられた貫通穴からＨＤＤ外部に引き出し、制御回路基板であるＰＣＢ１２に接続する。
【００４４】
例えば、形状が１．６ｍｍ×０．８５ｍｍ×０．８ｍｍで、容量が１０μＦ（ファラッド）のヘッドリトラクト用コンデンサであれば、０．８５インチ型ＨＤＤのコイル間スペース８０３に空間的に収まる形状である。コイル間スペース８０３は、本実施形態に係るスピンドルモータ２２の構造を用いれば９箇所あるため、１０μＦ（ファラッド）の小さなヘッドリトラクト用コンデンサ８５を９個搭載して総容量を９０μＦ（ファラッド）とすることができる。
【００４５】
また、ヘッドＦＰＣ３４上の空きスペースにもこれと同容量の小型のヘッドリトラクト用コンデンサを６個搭載して併用すれば、合計１５０μＦ（ファラッド）とすることが可能となり、ヘッドリトラクト用コンデンサの大容量化を図ることが可能となる。
【００４６】
以上のように構成されたＨＤＤによれば、リトラクト用のコンデンサ８５は筐体１０内に設けられたスピンドルモータ２２内のコイル間スペース８０３に実装されている。そのため、比較的寸法が大きく大容量のコンデンサを制御回路基板１２上に設ける必要がなく、制御回路基板の小型化および薄型化を図ることができる。従って、一層の小型でより多種の外部機器の記録装置として用いることが可能なＨＤＤが得られる。上記のように構成されたカード状かつ携帯可能なＨＤＤは、例えば、携帯電話機、デジタルカメラ、ビデオカメラ、パーソナルデジタルアシスタント（ＰＤＡ）等、種々の電子機器の記録装置として用いることができる。
【００４７】
なお、リトラクト用のコンデンサの数は必要に応じて増減可能である。磁気ディスクおよびヘッドは１つに限らず、必要に応じて増加可能である。磁気ディスクは、０．８５インチに限らず、１．８インチあるいは２．５インチとしてもよい。
【図面の簡単な説明】
【００４８】
【図１】本発明の実施形態に係るＨＤＤを示す斜視図。
【図２】前記ＨＤＤの分解斜視図。
【図３】前記ＨＤＤの筐体および内部構造を示す平面図。
【図４】前記ＨＤＤの制御回路基板側を示す斜視図。
【図５】図１の線Ａ−Ａに沿ったＨＤＤの断面図。
【図６】前記ＨＤＤの内部構造を示す斜視図。
【図７】前記ＨＤＤのスピンドルモータ部の構造を示す断面図。
【図８】１．８インチ型ＨＤＤの内部構造を示す斜視図。
【図９】本実施形態に係るＨＤＤのスピンドルモータを構成するステータコアの平面図。
【図１０】本実施形態に係るＨＤＤのスピンドルモータの平面図。
【図１１】本実施形態に係るＨＤＤのヘッドリトラクト用コンデンサの配置を示す平面図。
【図１２】本実施形態に係るＨＤＤのスピンドルモータ及びヘッドリトラクト用コンデンサの配置関係を示す平面図。
【符号の説明】
【００４９】
１０…筐体
１０ａ…第１シェル
１０ｂ…第２シェル
１２…制御回路基板
１８…支持ポスト
２０…磁気ディスク
２２…スピンドルモータ
２４…磁気ヘッド
２６…キャリッジ
２８…ＶＣＭ
３４…基板ユニット
３６…回転軸中心
４０…基板本体
４６…ヘッドアンプ
４７…コンデンサ
８０…ステータコア
８００…環状部
８０１…巻線部
８０２…極部
８１…巻線（コイル）
８２…磁石
８３…シールド板
８４…ロータ
８６…通電用ＦＰＣ
【図１】
2007095215.tif 000003
【図２】
2007095215.tif 000004
【図３】
2007095215.tif 000005
【図４】
2007095215.tif 000006
【図５】
2007095215.tif 000007
【図６】
2007095215.tif 000008
【図７】
2007095215.tif 000009
【図８】
2007095215.tif 000010
【図９】
2007095215.tif 000011
【図１０】
2007095215.tif 000012
【図１１】
2007095215.tif 000013
【図１２】
2007095215.tif 000014